(57)【特許請求の範囲】
【請求項１】
画像情報と、その画像情報を特定する特定情報とが対応付けて記憶された第１の記憶手段と、
この第１の記憶手段の記憶内容を示す内容情報が記憶された第２の記憶手段と、
前記画像情報の送信要求を行う情報送信要求側装置が、受信すべき画像情報の送信要求を行う場合に用いた通信手段がファクシミリ通信を用いる第１の通信手段および電話通信を用いる第２の通信手段のいずれであるかを、前記情報送信要求側装置から送信された所定の信号に基づいて判定する第１の判定手段と、
この第１の判定手段による判定結果が、前記第１の通信手段である場合は、前記情報送信要求側装置から送信される送信要求信号は、Ｆコード掲示板通信に用いる信号であるか否かを判定する第２の判定手段と、
この第２の判定手段により、前記送信要求信号は、Ｆコード掲示板通信に用いる信号であると判定された場合は、前記送信要求信号に対応する画像情報を前記第１の記憶手段から読出すとともに、その読出した画像情報を前記情報送信要求側装置へ送信する第１の送信手段と、
前記第２の判定手段により、前記送信要求信号は、Ｆコード掲示板通信に用いる信号ではないと判定された場合は、前記第２の記憶手段から前記内容情報を読出すとともに、その読出した内容情報を前記情報送信要求側装置へ送信する第２の送信手段と、
前記第１の判定手段による判定結果が、前記第２の通信手段である場合は、前記情報送信要求側装置がダイヤリングによって送信した送信信号に対応する画像情報を前記第１の記憶手段から読出すとともに、その読出した画像情報を前記情報送信要求側装置へ送信する第３の送信手段と、
が備えられたことを特徴とする通信装置。
【請求項２】
画像情報と、その画像情報を特定する特定情報とが対応付けて記憶された第１の記憶手段と、
この第１の記憶手段の記憶内容を示す内容情報が記憶された第２の記憶手段と、
前記画像情報の送信要求を行う情報送信要求側装置が、受信すべき画像情報の送信要求を行う場合に用いた通信手段がファクシミリ通信を用いる第１の通信手段および電話通信を用いる第２の通信手段のいずれであるかを、前記情報送信要求側装置から送信された所定の信号に基づいて判定する第１の判定手段と、
この第１の判定手段による判定結果が、前記第１の通信手段である場合は、前記情報送信要求側装置から送信される送信要求信号は、Ｆコード掲示板通信に用いる信号であるか否かを判定する第２の判定手段と、
この第２の判定手段により、前記送信要求信号は、Ｆコード掲示板通信に用いる信号であると判定された場合は、前記送信要求信号に対応する画像情報を前記第１の記憶手段から読出すとともに、その読出した画像情報を前記情報送信要求側装置へ送信する第１の送信手段と、
前記第２の判定手段により、前記送信要求信号は、Ｆコード掲示板通信に用いる信号ではないと判定された場合は、その判定結果に対応する情報を前記情報送信要求側装置へ送信する第２の送信手段と、
前記第１の判定手段による判定結果が、前記第２の通信手段である場合は、前記情報送信要求側装置がダイヤリングによって送信した送信信号に対応する画像情報を前記第１の記憶手段から読出すとともに、その読出した画像情報を前記情報送信要求側装置へ送信する第３の送信手段と、
が備えられたことを特徴とする通信装置。
【請求項３】
前記第３の送信手段は、
前記第１の記憶手段に記憶された画像情報をダイヤリングによって指定するための指定手段の内容を音声によって前記情報送信要求側装置に案内する音声案内手段を備え、その音声案内手段によって案内された指定手段の内容に基づいて前記情報送信要求側装置がダイヤリングによって送信した送信信号によって特定される画像情報を前記第１の記憶手段から読出すとともに、その読出した画像情報を前記情報送信要求側装置へ送信することを特徴とする請求項１または請求項２に記載の通信装置。
【発明の詳細な説明】
【０００１】
【発明の属する技術分野】
本発明は、情報をファクシミリ通信にて提供する通信装置に関する。
【０００２】
【従来の技術】
従来、ファクシミリ通信を使用した情報提供が知られている。その情報提供を行う手段としては、受話器から音声案内を聞いた後で、知りたい情報の番号を指定する手段と、音声案内を使用しないで、知りたい情報の番号を直接指定する手段とが知られている。
そして、上記後者の手段として、いわゆるＦコードを用いて情報の提供を行うものが提案されている。
ここに、Ｆコードとは、ＩＴＵ−Ｔ（国際電気通信連合・電気通信標準化部門）で規定されている通信プロトコルにおけるサブアドレスコマンドやセレクティブポーリングコマンドを使用したファクシミリ通信のアプリケーション機能の１つである。そして、そのＦコードを利用したファクシミリ通信を行うために、日本の通信機械工業会によって、Ｆコード掲示板通信という通信方式が定められている。
このＦコード掲示板通信とは、情報提供側が、情報を格納したＢＯＸ（記憶領域）を複数有するメモリを備えており、情報要求側が、通信プロトコル上で情報提供側のメモリ内のＢＯＸ番号を指定することにより、その指定したＢＯＸに格納されている情報を取り出して受信することができる通信方式である。
【０００３】
【発明が解決しようとする課題】
しかし、音声案内を使用しない通信手順で情報を提供する手段の場合は、その通信手順に対応した機能を有するファクシミリ装置でなければ情報を入手できないという問題がある。
また、情報を要求する側にとっては、音声案内にしたがう手段を用いるのか、用いないのかを判断するのは、容易ではないという問題がある。
【０００４】
そこで、本発明は、情報の送信を要求する側の装置が、音声案内を使用する通信手順および音声案内を使用しない通信手順のいずれの通信手順を用いた場合であっても、情報を提供できる通信装置を実現することを目的とする。
【０００５】
【課題を解決するための手段】
本発明は、上記目的を達成するため、
請求項１に記載の発明では、画像情報と、その画像情報を特定する特定情報とが対応付けて記憶された第１の記憶手段と、
この第１の記憶手段の記憶内容を示す内容情報が記憶された第２の記憶手段と、
前記画像情報の送信要求を行う情報送信要求側装置が、受信すべき画像情報の送信要求を行う場合に用いた通信手段がファクシミリ通信を用いる第１の通信手段および電話通信を用いる第２の通信手段のいずれであるかを、前記情報送信要求側装置から送信された所定の信号に基づいて判定する第１の判定手段と、
この第１の判定手段による判定結果が、前記第１の通信手段である場合は、前記情報送信要求側装置から送信される送信要求信号は、Ｆコード掲示板通信に用いる信号であるか否かを判定する第２の判定手段と、
この第２の判定手段により、前記送信要求信号は、Ｆコード掲示板通信に用いる信号であると判定された場合は、前記送信要求信号に対応する画像情報を前記第１の記憶手段から読出すとともに、その読出した画像情報を前記情報送信要求側装置へ送信する第１の送信手段と、
前記第２の判定手段により、前記送信要求信号は、Ｆコード掲示板通信に用いる信号ではないと判定された場合は、前記第２の記憶手段から前記内容情報を読出すとともに、その読出した内容情報を前記情報送信要求側装置へ送信する第２の送信手段と、
前記第１の判定手段による判定結果が、前記第２の通信手段である場合は、前記情報送信要求側装置がダイヤリングによって送信した送信信号に対応する画像情報を前記第１の記憶手段から読出すとともに、その読出した画像情報を前記情報送信要求側装置へ送信する第３の送信手段と、が備えられたという技術的手段を採用する。
【０００６】
請求項２に記載の発明では、画像情報と、その画像情報を特定する特定情報とが対応付けて記憶された第１の記憶手段と、
この第１の記憶手段の記憶内容を示す内容情報が記憶された第２の記憶手段と、
前記画像情報の送信要求を行う情報送信要求側装置が、受信すべき画像情報の送信要求を行う場合に用いた通信手段がファクシミリ通信を用いる第１の通信手段および電話通信を用いる第２の通信手段のいずれであるかを、前記情報送信要求側装置から送信された所定の信号に基づいて判定する第１の判定手段と、
この第１の判定手段による判定結果が、前記第１の通信手段である場合は、前記情報送信要求側装置から送信される送信要求信号は、Ｆコード掲示板通信に用いる信号であるか否かを判定する第２の判定手段と、
この第２の判定手段により、前記送信要求信号は、Ｆコード掲示板通信に用いる信号であると判定された場合は、前記送信要求信号に対応する画像情報を前記第１の記憶手段から読出すとともに、その読出した画像情報を前記情報送信要求側装置へ送信する第１の送信手段と、
前記第２の判定手段により、前記送信要求信号は、Ｆコード掲示板通信に用いる信号ではないと判定された場合は、その判定結果に対応する情報を前記情報送信要求側装置へ送信する第２の送信手段と、
前記第１の判定手段による判定結果が、前記第２の通信手段である場合は、前記情報送信要求側装置がダイヤリングによって送信した送信信号に対応する画像情報を前記第１の記憶手段から読出すとともに、その読出した画像情報を前記情報送信要求側装置へ送信する第３の送信手段と、が備えられたという技術的手段を採用する。
【０００７】
請求項３に記載の発明では、請求項１または請求項２に記載の通信装置において、前記第３の送信手段は、
前記第１の記憶手段に記憶された画像情報をダイヤリングによって指定するための指定手段の内容を音声によって前記情報送信要求側装置に案内する音声案内手段を備え、その音声案内手段によって案内された指定手段の内容に基づいて前記情報送信要求側装置がダイヤリングによって送信した送信信号によって特定される画像情報を前記第１の記憶手段から読出すとともに、その読出した画像情報を前記情報送信要求側装置へ送信するという技術的手段を採用する。
【００１１】
【作用】
請求項１ないし請求項３に記載の発明では、上記第１の判定手段は、画像情報の送信要求を行う情報送信要求側装置が、受信すべき画像情報の送信要求を行う場合に用いた通信手段が、ファクシミリ通信を用いる第１の通信手段および電話通信を用いる第２の通信手段のいずれであるかを、情報送信要求側装置から送信された所定の信号に基づいて判定し、第２の判定手段は、第１の判定手段による判定結果が、第１の通信手段である場合は、情報送信要求側装置から送信される送信要求信号は、Ｆコード掲示板通信に用いる信号であるか否かを判定し、第１の送信手段は、第２の判定手段により、送信要求信号は、Ｆコード掲示板通信に用いる信号であると判定された場合は、送信要求信号に対応する画像情報を第１の記憶手段から読出すとともに、その読出した画像情報を情報送信要求側装置へ送信する。第２の送信手段は、第２の判定手段により、送信要求信号は、Ｆコード掲示板通信に用いる信号ではないと判定された場合は、請求項１に記載の発明の場合、第２の記憶手段から内容情報を読出すとともに、その読出した内容情報を情報送信要求側装置へ送信し、請求項２に記載の発明の場合、その判定結果に対応する情報を前記情報送信要求側装置へ送信する。第３の送信手段は、第１の判定手段による判定結果が、第２の通信手段である場合は、情報送信要求側装置がダイヤリングによって送信した送信信号に対応する画像情報を前記第１の記憶手段から読出すとともに、その読出した画像情報を情報送信要求側装置へ送信する。
【００１２】
つまり、本発明の通信装置（情報の提供側）は、情報送信要求側装置における通信手段が、ファクシミリ通信および電話通信のいずれであっても、情報を情報送信要求側装置へ送信することができる。
したがって、本発明の通信装置（情報の提供側）は、情報送信要求側装置がＦコード掲示板通信を行う機能を備えていない場合であっても、情報送信要求側装置がダイヤリングによって送信した送信信号に対応する画像情報を記憶手段から読出すとともに、その読出した画像情報を情報送信要求側装置へ送信することができる。
請求項１に記載の発明によれば、本発明の通信装置（情報提供側）は、情報送信要求側装置が、Ｆコード掲示板通信を行う機能を備えていない場合は、第１の記憶手段の記憶内容を示す内容情報、つまりどのような情報が記憶されているかを示す情報を情報送信要求側装置へ送信することができる。
したがって、本発明の通信装置（情報の提供側）は、情報送信要求側装置が第１の記憶手段の記憶内容を知らない場合であっても、第１の記憶手段の記憶内容を情報送信要求側装置へ知らせることができるため、情報送信要求側装置は、どのような情報が記憶されているかを知ることができる。これにより、情報送信要求側装置が、Ｆコード掲示板通信を行う機能を備えていない場合であっても、情報送信要求側装置がダイヤリングによって送信した送信信号に対応する画像情報を記憶手段から読出すとともに、その読出した画像情報を情報送信要求側装置へ送信することができる。
【００１５】
特に、請求項２に記載の発明では、上記第２の送信手段は、上記第２の判定手段により、上記送信要求信号は、Ｆコード掲示板通信に用いる信号ではないと判定された場合は、その判定結果に対応する情報を前記情報送信要求側装置へ送信する。
つまり、情報送信要求側装置が、Ｆコード掲示板通信を行う機能を備えていない場合は、その機能を有していないと第１の記憶手段の画像情報を取り出すことができないことを示す情報を情報送信要求側装置へ送信することができるため、情報送信要求側装置は、情報を入手できない原因を知ることができる。
また、請求項３に記載の発明では、上記第３の送信手段に備えられた音声案内手段は、上記記憶手段に記憶された画像情報をダイヤリングによって指定するための指定手段の内容を音声によって情報送信要求側装置に案内し、第３の送信手段は、その音声案内手段によって案内された指定手段の内容に基づいて情報送信要求側装置がダイヤリングによって送信した送信信号によって特定される画像情報を記憶手段から読出すとともに、その読出した画像情報を情報送信要求側装置へ送信する。
【００１６】
つまり、本発明の通信装置（情報の提供側）は、ダイヤリングを用いて画像情報をどのように指定するかの内容を情報送信要求側装置へ音声で知らせ、その知らせた内容に基づいて情報送信要求側装置がダイヤリングしてきた場合は、そのダイヤリングによって特定される画像情報を情報送信要求側装置へ送信することができる。
したがって、本発明の通信装置（情報の提供側）は、情報送信要求側装置がダイヤリングによる画像情報の指定手段を知らない場合であっても、その指定手段の内容を音声で情報送信要求側装置へ案内することができるため、情報送信要求側装置は、その案内を聞いて情報の指定を行い、指定した情報を入手することができる。
【００１９】
【００２１】
【発明の実施の形態】
以下、本発明の通信装置の第１実施形態について図を参照して説明する。
図１は、本第１実施形態の通信装置の主な制御系をブロックで示す説明図である。
なお、以下の各実施形態では、本発明の通信装置として、情報の送信を要求する側のファクシミリ装置へ情報を提供する通信装置を代表に説明する。
【００２２】
通信装置１には、情報の送信を要求する側のファクシミリ装置（以下、相手ファクシミリ装置と称する）６１との間で行うＦコード掲示板通信、通常のファクシミリ通信、音声案内などの通信制御、イメージスキャナ４５が原稿の画像情報を読取る場合の読取制御、記録ヘッド２０が記録用紙へ記録する場合の記録制御、この通信装置１に接続されたＰＣ（Ｐｅｒｓｏｎａｌ  Ｃｏｍｐｕｔｅｒ）６４との間で行うデータの入出力制御などを行うＣＰＵ４０が備えられている。
さらに、通信装置１には、相手ファクシミリ装置６１から送信されるファクシミリデータを受信するための通信用モデム６０と、この通信用モデム６０によって受信されたファクシミリデータ、あるいは、ＰＣ６４から出力され、インターフェース４１を介して入力された記録データを展開するゲートアレイ４２とが備えられている。
【００２３】
ＣＰＵ４０とゲートアレイ４２とを接続するアドレスバスおよびデータバスには、ＣＰＵ４０が前述の各種制御を実行するための制御プログラム、送信先のＦＡＸ番号などが記憶されているＲＯＭ４３と、相手ファクシミリ装置６１へ提供する各種情報が記憶されたＲＡＭ４４とが接続されており、ＣＰＵ４０は、ＲＯＭ４３およびＲＡＭ４４との間で必要なデータの入出力を行う。
【００２４】
ここで、ＲＡＭ４４の主な記憶内容について、それを示す図２（Ａ）を参照して説明する。
ＲＡＭ４４は、ＢＯＸエリア４４ａおよび音声案内データエリア４４ｂの２つの記憶エリアを有している。ＢＯＸエリア４４ａは、ＢＯＸ１〜ＢＯＸｎまでの合計ｎ個のＢＯＸから構成されており、各ＢＯＸには、種々の画像情報、たとえば、本通信装置１が税金に関する情報を提供するために使用するものである場合は、所得税についての説明、税金控除についての説明などの各種画像情報が、情報の種類別にＢＯＸに記憶される。
また、音声案内データエリア４４ｂには、相手ファクシミリ装置６１が、ファクシミリ通信ではなく、電話をかけてきた場合に、情報の取出方を音声で説明するための情報、たとえば、「ご覧になりたい情報のＢＯＸ番号を指定してください。」という音声データが記憶されている。
なお、ＢＯＸエリア４４ａが、本発明の請求項１および請求項２に記載の第１の記憶手段に対応し、音声案内データエリア４４ｂが、第２の記憶手段に対応する。
【００２５】
ここで、図１の説明に戻り、ゲートアレイ４２には、受信した各データをイメージデータとして一時的に記憶するイメージメモリ５４と、記録ヘッド２０が搭載されたキャリッジ（図示省略）の移動速度を計測し、記録タイミングを決定するエンコーダセンサ５９とが接続されている。さらに、ゲートアレイ４２は、キャリッジの移動にともない、エンコーダセンサ５９が出力した信号に基づいて記録クロック５７を生成する。さらに、ゲートアレイ４２には、ヘッドドライバＩＣ５８が接続されており、このヘッドドライバＩＣ５８は、ゲートアレイ４２から出力された記録データ５５、転送クロック５６および記録クロック５７に基づいて動作し、記録ヘッド２０を駆動する。
【００２６】
さらに、ＣＰＵ４０には、記録用紙の有無を検出する記録用紙センサ５０と、原稿がイメージスキャナ４５の読取部分にあることを検出する原稿センサ５１と、キャリッジがホームポジションにあることを検出するキャリッジ原点センサ５２と、キャリッジモータ１４を駆動するための第１のモータドライバ７０と、プラテンローラ回転用のラインフィードモータ４７を駆動するための第２のモータドライバ４６と、イメージスキャナモータ４８を駆動するための第３のモータドライバ４９と、各種の信号をＣＰＵ４０に与える操作パネル３と、液晶表示部（ＬＣＤ）４とが接続されている。
【００２７】
次に、本発明の特徴である、相手ファクシミリ装置６１から情報の送信要求があった場合に、通信装置１に備えられたＣＰＵ４０によって実行される制御内容について図３ないし図５を参照して説明する。
図３は、通信装置１と相手ファクシミリ装置６１との間で行われる通信手順を示す説明図である。図４は、ＣＰＵ４０により実行される主な通信制御の内容を示すメインフローチャートであり、図５（Ａ）は、図４のステップ３００のファクシミリ通信処理の内容を示すフローチャートであり、図５（Ｂ）は、図４のステップ４００の音声案内処理の内容を示すフローチャートである。
【００２８】
最初に、ＣＰＵ４０により実行される主な通信制御の内容を図４を参照して説明する。
なお、ここでは、相手ファクシミリ装置６１は、Ｆコード掲示板通信を行う機能を備えており、ＳＥＰコマンドを用いてＢＯＸ番号を指定するものとする。
ＣＰＵ４０は、相手ファクシミリ装置６１から送信されたＣＡＬＬ信号の着信を検出し（ステップ１００）、ＣＮＧ信号を検出すると（ステップ２００：Ｙｅｓ）、ファクシミリ通信処理を実行する（ステップ３００）。
【００２９】
ここで、ＣＰＵ４０によって実行されるファクシミリ通信処理について図５（Ａ）を参照して説明する。
ＣＰＵ４０は、相手ファクシミリ装置６１へＤＩＳ信号、つまり、通信装置１の通信能力を相手ファクシミリ装置６１に知らせるための信号を送信する（ステップ３０２）。続いて、ＣＰＵ４０は、相手ファクシミリ装置６１からＳＥＰ信号およびＤＴＣ信号を受信したか否かを判定する（ステップ３０４）。
つまり、ＣＰＵ４０は、ＤＩＳ信号に対する応答を示すＤＴＣ信号と共に、ＢＯＸエリア４４ａに記憶されている情報を取り出すためのＢＯＸ番号を指定するためのＳＥＰ信号を受信したか否かを判定する（ステップ３０４）。
ところで、上記ＳＥＰ信号が、本発明の送信要求信号に対応する。
【００３０】
ここでは、相手ファクシミリ装置６１は、ＳＥＰコマンドを用いてＢＯＸ番号を指定しているため、ＣＰＵ４０は、ＳＥＰ信号を受信したと判定し（ステップ３０４：Ｙｅｓ）、相手ファクシミリ装置６１に受信を命令するＤＣＳ信号を送信し（ステップ３０６）、相手ファクシミリ装置６１に設定されている通信速度を確かめるためのＴＣＦ信号を送信する（ステップ３０８）。
なお、上記ステップ３０４において受信されたＳＥＰ信号によって示されるＢＯＸ番号を示すＢＯＸ番号データは、ＲＡＭ４４に一時的に記憶される。
続いて、ＣＰＵ４０は、受信準備完了を示すＣＦＲ信号の受信を検出すると（ステップ３１０：Ｙｅｓ）、ＲＡＭ４４に一時的に記憶されているＢＯＸ番号データを読出すとともに、その読出したＢＯＸ番号データによって示されるＢＯＸ番号に対応する情報（ＰＩＸ）をＢＯＸエリア４４ａから読出し、その読出した情報を相手ファクシミリ装置６１へ送信する（ステップ３１２）。この送信された情報は、相手ファクシミリ装置６１によって記録用紙に記録され、相手ファクシミリ装置６１を使用する者は、その記録された内容を見ることによって情報を知ることができる。
【００３１】
そして、ＣＰＵ４０は、情報の送信を終了すると、ファクシミリ通信手順の終了を示すＥＯＰ信号を送信し（ステップ３１４）、ＥＯＰ信号に対する肯定的な応答信号であるＭＣＦ信号を受信すると（ステップ３１６）、通信回線の切断を命令するＤＣＮ信号を送信する（ステップ３１８）。
以上のように、本実施形態の通信装置１を用いれば、相手ファクシミリ装置６１がＦコード掲示板通信によってＢＯＸ番号を指定してきた場合に、その指定したＢＯＸ番号に対応する情報を提供することができる。
なお、ＣＰＵ４０は、ＳＥＰ信号を受信しなかったと判定した場合（ステップ３０４：Ｎｏ）、または、ＣＦＲ信号を受信しなかったと判定した場合は（ステップ３１０：Ｎｏ）、ＤＣＮ信号を送信する（ステップ３１８）。
【００３２】
次に、相手ファクシミリ装置６１を使用する者が、相手ファクシミリ装置６１に備えられているハンドセットを用いて本通信装置１に電話をかけてきた場合にＣＰＵ４０によって実行される制御内容について説明する。
この場合、ＣＰＵ４０は、図４のステップ２００において、ＣＮＧ信号を受信しなかったと判定し（ステップ２００：Ｎｏ）、音声案内処理を実行する（ステップ４００）。
【００３３】
ここで、ＣＰＵ４０によって実行される音声案内処理について図５（Ｂ）を参照して説明する。
ＣＰＵ４０は、ＲＡＭ４４の音声案内データエリア４４ｂから音声案内データを読出し、その音声案内データを音声に変換して再生することにより、音声案内を行う。たとえば、「ご覧になりたい情報のＢＯＸ番号を指定してください。」という音声案内を行う（ステップ４０２）。
そして、相手ファクシミリ装置６１を使用する者が、ハンドセットに設けられたプッシュボタンを押してＢＯＸ番号を指定すると、そのプッシュボタンを押すことによって送信されるＤＴＭＦ信号が通信装置１へ送信され、この送信されたＤＴＭＦ信号は、ＣＰＵ４０によって検出される（ステップ４０４：Ｙｅｓ）。このとき、そのＤＴＭＦ信号によって示されるＢＯＸ番号を示すＢＯＸ番号データは、ＲＡＭ４４に一時的に記憶される。
【００３４】
そして、相手ファクシミリ装置６１がスタートボタンを押すと、ＣＰＵ４０は、相手ファクシミリ装置６１からＤＩＳ信号を受信し（ステップ４０６）、ＤＣＳ信号を送信し（ステップ４１０）、ＴＣＦ信号を送信する（ステップ４１２）。続いて、ＣＰＵ４０は、ＣＦＲ信号を受信すると（ステップ４１４：Ｙｅｓ）、ＲＡＭ４４に一時的に記憶されているＢＯＸ番号データを読出すとともに、その読出したＢＯＸ番号データによって示されるＢＯＸ番号に対応する情報（ＰＩＸ）をＢＯＸエリア４４ａから読出し、その読出した情報を相手ファクシミリ装置６１へ送信する（ステップ４１６）。この送信された情報は、相手ファクシミリ装置６１によって記録用紙に記録され、相手ファクシミリ装置６１を使用する者は、その記録された内容を見ることによって情報を知ることができる。
【００３５】
そして、ＣＰＵ４０は、情報の送信を終了するとＥＯＰ信号を送信し（ステップ４１８）、ＭＣＦ信号を受信すると（ステップ４２０）、ＤＣＮ信号を送信する（ステップ４２２）。
以上のように、本実施形態の通信装置１を用いれば、相手ファクシミリ装置６１を使用する者が、相手ファクシミリ装置６１に備えられたハンドセットを用いて電話をかけてきた場合であっても、情報の取出方を音声で説明することにより、指定された情報を提供することができる。
なお、ＣＰＵ４０は、ＤＴＭＦ信号を受信しなかったと判定した場合（ステップ４０４：Ｎｏ）、または、ＣＦＲ信号を受信しなかったと判定した場合は（ステップ４１４：Ｎｏ）、ＤＣＮ信号を送信する（ステップ４２２）。
ところで、上記ＣＮＧ信号が、請求項１および請求項２に記載の所定の信号に対応し、ＤＴＭＦ信号が、送信信号に対応する。また、ＣＰＵ４０によって実行されるステップ２００が、請求項１および請求項２に記載の第１の判定手段として機能し、ステップ４００が第３の送信手段として機能する。
【００３６】
次に、本発明第２実施形態の通信装置について図２（Ｂ）および図６を参照して説明する。
本第２実施形態の特徴は、Ｆコード通信機能を備えていない相手ファクシミリ装置からＢＯＸ番号を指定してきた場合に、回線を切断しないで相手ファクシミリ装置６１へ、ＢＯＸエリア内にどうような情報が記憶されているかを紹介することができることを特徴とする。
図２（Ｂ）は、ＲＡＭ４４の主な記憶内容を示す説明図であり、図６は、本第２実施形態の通信装置に備えられたＣＰＵによって実行されるファクシミリ通信処理を示すフローチャートである。
なお、本第２実施形態の通信装置の制御系の構成は、前述の第１実施形態の通信装置１と同じであり、また、ＣＰＵ４０によって実行される制御の内容は、図４のステップ３００で実行されるファクシミリ通信処理の一部を除いて同じであるため、それら同じ部分の説明は省略する。
【００３７】
最初に、ＲＡＭ４４の記憶内容について図２（Ｂ）を参照して説明する。
ＲＡＭ４４は、ＢＯＸエリア４４ａおよび内容データエリア４４ｃの２つの記憶エリアを有している。ＢＯＸエリア４４ａは、前述の第１実施形態と同じ構成である。内容データエリア４４ｃには、ＢＯＸエリア４４ａの各ＢＯＸに記憶されている情報の内容を短い語句で示す内容データが記憶されている。
たとえば、内容データとしては、図２（Ｂ）に示すように、ＢＯＸ１は○○○、ＢＯＸ２は□□□・・・というように、各ＢＯＸに記憶されている情報のタイトルを表形式で記載した画像情報が用いられる。
【００３８】
次に、ＣＰＵ４０によるファクシミリ通信処理について図６を参照して説明する。
なお、ここでは、相手ファクシミリ装置６１を使用する者は、ＢＯＸ番号のリストを所有していないために、ＳＥＰコマンドを使用しないでファクシミリ通信を行ってきたものとする。
ＣＰＵ４０は、上述のように、相手ファクシミリ装置６１はＳＥＰコマンドを使用していないため、ステップ３０４においてＤＴＣ信号のみ受信し、ＳＥＰ信号を受信しなかったと判定する（ステップ３０４：Ｎｏ）。続いて、ＣＰＵ４０は、ＤＣＳ信号を送信し（ステップ３２０）、ＴＣＦ信号を送信し（ステップ３２２）、ＣＦＲ信号を受信すると（ステップ３２４：Ｙｅｓ）、ＲＡＭ４４の内容データエリア４４ｃから内容データを読出し、その読出した内容データを相手ファクシミリ装置６１へ送信する（ステップ３２６）。この送信された情報は、相手ファクシミリ装置６１によって記録用紙に記録され、相手ファクシミリ装置６１を使用する者は、その記録された内容を見ることによって、通信装置１のＲＡＭ４４のＢＯＸエリア４４ａにどのような情報が記憶されているかをＢＯＸ番号に対応付けて知ることができる。
【００３９】
そして、ＣＰＵ４０は、情報の送信を終了するとＥＯＰ信号を送信し（ステップ３２８）、ＭＣＦ信号を受信すると（ステップ３３０）、ＤＣＮ信号を送信する（ステップ３３２）。
以上のように、本第２実施形態の通信装置１を用いれば、ＢＯＸエリア４４ａの内容を相手に知らせることができ、その相手は、知らされた内容を見てから再度ＢＯＸ番号を指定したＦコード掲示板通信を行うことにより、本来知りたかった情報を入手することができる。
ところで、ＣＰＵ４０によって実行されるステップ４０２が、請求項３に記載の音声案内手段として機能する。さらに、ＣＰＵ４０によって実行される図６のステップ３０４が、請求項１および請求項２に記載の第２の判定手段として機能し、ステップ３１２が第１の送信手段として機能し、ステップ３２６が第２の送信手段として機能する。
【００４０】
次に、本発明第３実施形態の通信装置について図２（Ｃ）および図７を参照して説明する。
本第３実施形態の特徴は、相手ファクシミリ装置６１が、Ｆコード掲示板通信を行う機能を備えていない場合に、一般のポーリングを用いて情報の提供を求めてきた場合に、相手ファクシミリ装置６１に意味不明な通信エラーを生じさせないようにすることができることを特徴とする。
図２（Ｃ）は、ＲＡＭ４４の主な記憶内容を示す説明図であり、図７は、本第３実施形態の通信装置に備えられたＣＰＵによって実行されるファクシミリ通信処理を示すフローチャートである。
【００４１】
なお、本第３実施形態の通信装置の制御系の構成は、前述の第１実施形態の通信装置１と同じであり、また、ＣＰＵ４０によって実行される制御の内容は、図４のステップ３００で実行されるファクシミリ通信処理の一部を除いて同じであるため、それら同じ部分の説明は省略する。
また、以下の説明では、相手ファクシミリ装置６１には、Ｆコード掲示板通信を行う機能が備えられておらず、相手ファクシミリ装置６１を使用する者が、一般のポーリングを用いて情報の提供を求めてきたものとする。
【００４２】
最初に、ＲＡＭ４４の記憶内容について図２（Ｃ）を参照して説明する。
ＲＡＭ４４は、ＢＯＸエリア４４ａおよび文書案内データエリア４４ｄの２つの記憶エリアを有している。ＢＯＸエリア４４ａは、前述の第１実施形態と同じ構成である。文書案内データエリア４４ｄには、情報を取り出すことができないことを示すデータ、たとえば、「ＢＯＸ番号を指定しないと情報をご提供できません。」、または、「Ｆコード対応ファクシミリ装置でなければ、情報を指定することができません。」などの内容のデータが記憶されている。
【００４３】
次に、ＣＰＵ４０によるファクシミリ通信処理について図７を参照して説明する。
本実施形態の場合、上述のように相手ファクシミリ装置６１を使用する者が、ファクシミリ手順でＢＯＸ番号を指定しようとしたとしても、相手ファクシミリ装置６１には、Ｆコード掲示板通信を行う機能が備えられていないため、相手ファクシミリ装置６１からは、ＤＴＣ信号と共にＳＥＰ信号が送信されない。
したがって、ＣＰＵ４０は、ステップ３０４においてＤＴＣ信号のみ受信し、ＳＥＰ信号を受信しなかったと判定する（ステップ３０４：Ｎｏ）。続いて、ＣＰＵ４０は、ＤＣＳ信号を送信し（ステップ３２０）、ＴＣＦ信号を送信し（ステップ３２２）、ＣＦＲ信号を受信すると（ステップ３２４：Ｙｅｓ）、ＲＡＭ４４の文書案内データエリア４４ｄから文書案内データを読出し、その読出した文書案内データを相手ファクシミリ装置６１へ送信する（ステップ３２５）。この送信された情報は、相手ファクシミリ装置６１によって記録用紙に記録され、相手ファクシミリ装置６１を使用する者は、その記録された内容を見ることによって、ＢＯＸ番号を指定しないと情報を取り出すことができない、つまり、自分のファクシミリ装置には、Ｆコード掲示板通信を行う機能が備わっていないため、情報を取り出すことができないことを知ることができる。
【００４４】
そして、ＣＰＵ４０は、情報の送信を終了するとＥＯＰ信号を送信し（ステップ３２８）、ＭＣＦ信号を受信すると（ステップ３３０）、ＤＣＮ信号を送信する（ステップ３３２）。
以上のように、本第３実施形態の通信装置１は、Ｆコード掲示板通信を行う機能を備えていない相手ファクシミリ装置６１から、情報の要求があった場合に、ＢＯＸ番号を指定しないと情報を取り出すことができない旨をファクシミリ通信で相手に知らせることができる。
したがって、相手ファクシミリ装置６１に意味不明な通信エラーが発生するのを防止することができる。
ところで、ＣＰＵ４０によって実行されるステップ３２５が、請求項３に記載の第２の送信手段として機能する。
【００４５】
また、上記実施形態では、図４ないし図７のフローチャートにより示される制御および処理を記録装置１に内蔵されたＣＰＵ４０に実行させたが、それらの制御および処理を実行するためのコンピュータプログラムが格納されたＣＤ−ＲＯＭやＦＤなどをＰＣ６４でドライブし、上記コンピュータプログラムをＨＤＤ（Ｈａｒｄ  Ｄｉｓｋ  Ｄｒｉｖｅ）６４ｂにインストールすることによって、上記各種制御および処理をＰＣ６４のＣＰＵ６４ａによって行うこともできる。
【００４６】
【発明の効果】
以上のように、請求項１ないし請求項３に記載の発明によれば、情報送信要求側装置における通信手段が、ファクシミリ通信および電話通信のいずれであっても、情報を情報送信要求側装置へ送信することができる。
したがって、本発明の通信装置（情報の提供側）は、情報送信要求側装置がＦコード掲示板通信を行う機能を備えていない場合であっても、情報送信要求側装置がダイヤリングによって送信した送信信号に対応する画像情報を記憶手段から読出すとともに、その読出した画像情報を情報送信要求側装置へ送信することができる。
請求項１に記載の発明によれば、本発明の通信装置（情報提供側）は、情報送信要求側装置が、Ｆコード掲示板通信を行う機能を備えていない場合は、第１の記憶手段の記憶内容を示す内容情報、つまりどのような情報が記憶されているかを示す情報を情報送信要求側装置へ送信することができる。
したがって、本発明の通信装置（情報の提供側）は、情報送信要求側装置が第１の記憶手段の記憶内容を知らない場合であっても、第１の記憶手段の記憶内容を情報送信要求側装置へ知らせることができるため、情報送信要求側装置は、どのような情報が記憶されているかを知ることができる。これにより、情報送信要求側装置が、Ｆコード掲示板通信を行う機能を備えていない場合であっても、情報送信要求側装置がダイヤリングによって送信した送信信号に対応する画像情報を記憶手段から読出すとともに、その読出した画像情報を情報送信要求側装置へ送信することができる。
【００４８】
請求項２に記載の発明によれば、情報送信要求側装置が、Ｆコード掲示板通信を行う機能を備えていない場合は、その機能を有していないと第１の記憶手段の画像情報を取り出すことができないことを示す情報を情報送信要求側装置へ送信することができるため、情報送信要求側装置は、情報を入手できない原因を知ることができる。
【００５０】
また、請求項３に記載の発明によれば、情報送信要求側装置がダイヤリングによる画像情報の指定手段を知らない場合であっても、その指定手段の内容を音声で情報送信要求側装置へ案内することができるため、情報送信要求側装置は、その案内を聞いて情報の指定を行い、指定した情報を入手することができる。
【図面の簡単な説明】
【図１】  本発明第１実施形態の通信装置の主な制御系をブロックで示す説明図である。
【図２】  図２（Ａ）は、本発明第１実施形態の通信装置に内蔵されたＲＡＭ４４の主な記憶内容を示す説明図であり、図２（Ｂ）は、本発明第２実施形態の通信装置に内蔵されたＲＡＭ４４の主な記憶内容を示す説明図であり、図２（Ｃ）は、本発明第３実施形態の通信装置に内蔵されたＲＡＭ４４の主な記憶内容を示す説明図である。
【図３】  通信装置１と相手ファクシミリ装置６１との間で行われる通信手順を示す説明図である。
【図４】  ＣＰＵ４０により実行される主な通信制御の内容を示すメインフローチャートである。
【図５】  図５（Ａ）は、図４のステップ３００のファクシミリ通信処理の内容を示すフローチャートであり、図５（Ｂ）は、図４のステップ４００の音声案内処理の内容を示すフローチャートである。
【図６】  本発明第２実施形態のＣＰＵ４０により実行されるファクシミリ通信処理の内容を示すフローチャートである。
【図７】  本発明第３実施形態のＣＰＵ４０により実行されるファクシミリ通信処理の内容を示すフローチャートである。
【符号の説明】
１    通信装置
４０    ＣＰＵ
４４    ＲＡＭ（記憶手段）
６１    相手ファクシミリ装置（情報送信要求側装置）
【図１】
0003707239.tif 000002
【図２】
0003707239.tif 000003
【図３】
0003707239.tif 000004
【図４】
0003707239.tif 000005
【図５】
0003707239.tif 000006
【図６】
0003707239.tif 000007
【図７】
0003707239.tif 000008